(57)【要約】【課題】収納部の空き容量不足に起因する回収入金処理の中断を事前に回避させる。【解決手段】第１貨幣処理装置１０は、第１貨幣処理装置１０に収納されている貨幣を回収するための回収処理を行う。第２貨幣処理装置２０は、回収処理において回収された貨幣を収納部に収納する回収入金処理を行う。また、第２貨幣処理装置２０は、回収処理における貨幣の回収量を特定するための回収情報を取得するように構成され、回収入金処理を開始する前に取得された回収情報に基づいて特定される貨幣の回収量と収納部における貨幣の収納量との合計量が退避開始閾値を上回る場合に、収納部から貨幣を退避させるための退避処理を回収入金処理を開始する前に行う。【選択図】図１
2018120426.tif 000002
【特許請求の範囲】
【請求項１】
収納している貨幣を回収するための回収処理を行う第１貨幣処理装置と、
前記貨幣を収納する収納部を有し、前記回収処理において回収された貨幣を該収納部に収納する回収入金処理を行う第２貨幣処理装置とを備え、
前記第２貨幣処理装置は、前記回収処理における貨幣の回収量を特定するための回収情報を取得するように構成され、前記回収入金処理を開始する前に取得された回収情報に基づいて特定される貨幣の回収量と前記収納部における貨幣の収納量との合計量が予め定められた退避開始閾値を上回る場合に、該収納部から貨幣を退避させるための退避処理を該回収入金処理を開始する前に行う
ことを特徴とする貨幣処理システム。
【請求項２】
前記第２貨幣処理装置は、複数枚の貨幣により構成された包装貨幣を生成する包装貨幣生成部と、該包装貨幣を収納する包装貨幣収納部とを有し、該収納部に収納された貨幣が前記包装貨幣生成部に搬送されて該包装貨幣生成部において該貨幣を用いて前記包装貨幣が生成され、該包装貨幣が前記包装貨幣収納部に搬送されて収納される先行収集処理を前記退避処理として行う
ことを特徴とする請求項１に記載の貨幣処理システム。
【請求項３】
前記第２貨幣処理装置は、前記収納部の空き容量が前記回収情報に基づいて特定される貨幣の回収量に応じた空き容量閾値を上回るという第１条件、該収納部における貨幣の収納量が予め定められた退避終了閾値に到達するという第２条件、前記包装貨幣収納部における包装貨幣の収納量が予め定められた収納終了閾値に到達するという第３条件のうちいずれか１つの条件が成立すると、前記先行収集処理を終了する
ことを特徴とする請求項２に記載の貨幣処理システム。
【請求項４】
前記退避終了閾値は、ゼロよりも所定量だけ多いニアエンプティ量に設定されている
ことを特徴とする請求項３に記載の貨幣処理システム。
【請求項５】
前記収納終了閾値は、前記包装貨幣収納部の最大収納量に相当するフル量、または、該フル量よりも所定量だけ少ないニアフル量に設定されている
ことを特徴とする請求項３または４に記載の貨幣処理システム。
【請求項６】
前記第２貨幣処理装置は、前記回収入金処理を開始する前において前記先行収集処理の終了後における前記収納部の空き容量が前記空き容量閾値を上回らない場合に、該収納部に収納されている貨幣または前記包装貨幣収納部に収納されている包装貨幣を該第２貨幣処理装置から回収することを促すための情報を出力する機外回収報知処理を行う
ことを特徴とする請求項３〜５のいずれか１項に記載の貨幣処理システム。
【請求項７】
前記第２貨幣処理装置は、機外回収操作に応答して前記収納部に収納されている貨幣の少なくとも一部または前記包装貨幣収納部に収納されている包装貨幣の少なくとも一部を該第２貨幣処理装置の外部に払い出す
ことを特徴とする請求項６に記載の貨幣処理システム。
【請求項８】
前記第２貨幣処理装置は、前記収納部に収納されている貨幣を該第２貨幣処理装置から回収することを促すための情報を出力する機外回収報知処理を前記退避処理として行う
ことを特徴とする請求項１に記載の貨幣処理システム。
【請求項９】
前記第２貨幣処理装置は、機外回収操作に応答して前記収納部に収納されている貨幣の少なくとも一部を該第２貨幣処理装置の外部に払い出す
ことを特徴とする請求項８に記載の貨幣処理システム。
【請求項１０】
前記第２貨幣処理装置は、複数枚の貨幣により構成された包装貨幣を生成する包装貨幣生成部と、該包装貨幣を収納する包装貨幣収納部とを有し、前記収納部に収納されている貨幣または該包装貨幣収納部に収納されている包装貨幣を該第２貨幣処理装置から回収することを促すための情報を出力する機外回収報知処理を前記退避処理として行う
ことを特徴とする請求項１に記載の貨幣処理システム。
【請求項１１】
前記第２貨幣処理装置は、機外回収操作に応答して前記収納部に収納されている貨幣の少なくとも一部または前記包装貨幣収納部に収納されている包装貨幣の少なくとも一部を該第２貨幣処理装置の外部に払い出す
ことを特徴とする請求項１０に記載の貨幣処理システム。
【請求項１２】
前記退避開始閾値は、前記収納部の最大収納量に相当するフル量、または、該フル量よりも所定量だけ少ないニアフル量に設定されている
ことを特徴とする請求項１〜１１のいずれか１項に記載の貨幣処理システム。
【請求項１３】
回収処理において回収された貨幣を処理する貨幣処理装置であって、
前記貨幣を収納する収納部と、
操作者による操作が与えられる操作部と、
前記操作部に与えられた回収入金操作に応答して、前記回収処理において回収された貨幣を前記収納部に収納する回収入金処理が行われるように前記貨幣処理装置の動作を制御する制御部とを備え、
前記制御部は、前記回収処理における貨幣の回収量を特定するための回収情報を取得するように構成され、前記回収入金処理を開始する前に取得された回収情報に基づいて特定される貨幣の回収量と前記収納部における貨幣の収納量との合計量が予め定められた退避開始閾値を上回る場合に、該収納部から貨幣を退避させるための退避処理が該回収入金処理を開始する前に行われるように前記貨幣処理装置の動作を制御する
ことを特徴とする貨幣処理装置。
【請求項１４】
複数枚の貨幣により構成された包装貨幣を生成する包装貨幣生成部と、
前記包装貨幣を収納する包装貨幣収納部とを備え、
前記制御部は、前記収納部に収納された貨幣が前記包装貨幣生成部に搬送されて該包装貨幣生成部において該貨幣を用いて前記包装貨幣が生成され、該包装貨幣が前記包装貨幣収納部に搬送されて収納される先行収集処理が前記退避処理として行われるように前記貨幣処理装置を制御する
ことを特徴とする請求項１３に記載の貨幣処理装置。
【請求項１５】
前記制御部は、前記収納部に収納されている貨幣を前記貨幣処理装置から回収することを促すための情報を出力する機外回収報知処理を前記退避処理として行う
ことを特徴とする請求項１３に記載の貨幣処理装置。
【請求項１６】
複数枚の貨幣により構成された包装貨幣を生成する包装貨幣生成部と、
前記包装貨幣を収納する包装貨幣収納部とを備え、
前記制御部は、前記収納部に収納されている貨幣または前記包装貨幣収納部に収納されている包装貨幣を前記貨幣処理装置から回収することを促すための情報を出力する機外回収報知処理を前記退避処理として行う
ことを特徴とする請求項１３に記載の貨幣処理装置。
【請求項１７】
第１貨幣処理装置と貨幣を収納する収納部を有する第２貨幣処理装置とを用いた貨幣処理方法であって、
前記第１貨幣処理装置に収納されている貨幣を回収するための回収処理が行われるように該第１貨幣処理装置の動作を制御する第１工程と、
前記回収処理における貨幣の回収量を特定するための回収情報を取得する第２工程と、
第２工程において取得された前記回収情報に基づいて特定される貨幣の回収量と前記収納部における貨幣の収納量との合計量が予め定められた退避開始閾値を上回る場合に、該収納部から貨幣を退避させるための退避処理が行われるように前記第２貨幣処理装置の動作を制御する第３工程と、
前記第３工程の後に、前記回収処理において回収された貨幣を前記収納部に収納する回収入金処理が行われるように前記第２貨幣処理装置の動作を制御する第４工程とを備えている
ことを特徴とする貨幣処理方法。
【発明の詳細な説明】
【技術分野】
【０００１】
ここに開示する技術は、貨幣処理技術に関する。
【背景技術】
【０００２】
従来、貨幣を処理する貨幣処理装置が知られている。例えば、特許文献１には、入金された貨幣を金種別に収納する貨幣収納部と、貨幣収納部から繰り出された貨幣を所定枚数ごとに結束・包装などの包装処理を行う貨幣包装手段と、貨幣包装手段で包装された包装貨幣を金種別に収納する包装貨幣収納部と、制御手段とを備えた貨幣処理装置が開示されている。特許文献１の貨幣処理装置では、制御手段は、貨幣収納部の貨幣量が所定量以上になった時または包装貨幣収納部の貨幣量が所定量以下になった時に、自動的に貨幣収納部から貨幣を繰り出して包装し、包装貨幣収納部へ収納させる自動収集処理を行わせる。
【先行技術文献】
【特許文献】
【０００３】
【特許文献１】特開２００６−２１５８１０号公報
【発明の概要】
【発明が解決しようとする課題】
【０００４】
ところで、貨幣処理装置から貨幣を回収するための処理（回収処理）を行い、回収処理により回収された貨幣を別の貨幣処理装置に入金するための処理（回収入金処理）を行うことが考えられる。回収入金処理では、回収処理により回収された貨幣が別の貨幣処理装置の収納部に収納される。
【０００５】
しかしながら、回収処理における貨幣の回収量に対して貨幣処理装置の収納部の空き容量が十分に確保されていない場合、回収入金処理の途中で収納部の空き容量が不足して回収入金処理が中断されてしまう可能性がある。例えば、特許文献１の貨幣処理装置では、回収入金処理の途中で収納部が満杯になって収納部の空き容量が不足すると、回収入金処理が中断されて自動収集処理が自動的に開始され、自動収集処理により収納部の空き容量不足が解消された後に回収入金処理が再開されることになる。このように、回収入金処理が中断されると、収納部の空き容量不足が解消されるまで回収入金処理の再開を待つことになるので、回収入金処理の時間（回収入金処理の開始から終了までの時間）が長期化してしまう。なお、貨幣処理装置の操作者は、回収入金処理が開始されるように貨幣処理装置を操作した場合、まだ入金していない回収貨幣が手元に残っているため、回収入金処理が終了するまで貨幣処理装置の傍から離れることができない。そのため、回収入金処理の時間が長期化すると、操作者による回収業務を円滑に進めることが困難となる。
【０００６】
そこで、ここに開示する技術は、収納部の空き容量不足に起因する回収入金処理の中断を事前に回避させることが可能な貨幣処理技術を提供することを目的とする。
【課題を解決するための手段】
【０００７】
ここに開示する技術は、貨幣処理システムに関し、この貨幣処理システムは、収納している貨幣を回収するための回収処理を行う第１貨幣処理装置と、前記貨幣を収納する収納部を有し、前記回収処理において回収された貨幣を該収納部に収納する回収入金処理を行う第２貨幣処理装置とを備え、前記第２貨幣処理装置は、前記回収処理における貨幣の回収量を特定するための回収情報を取得するように構成され、前記回収入金処理を開始する前に取得された回収情報に基づいて特定される貨幣の回収量と前記収納部における貨幣の収納量との合計量が予め定められた退避開始閾値を上回る場合に、該収納部から貨幣を退避させるための退避処理を該回収入金処理を開始する前に行う。
【０００８】
前記の構成では、回収入金処理の途中で収納部の空き容量が不足する可能性がある場合に、回収入金処理が開始される前に収納部から貨幣を退避させて収納部の空き容量を増加させることができる。これにより、回収入金処理の途中で収納部の空き容量が不足する可能性を低減することができるので、収納部の空き容量不足に起因する回収入金処理の中断を事前に回避することができる。
【０００９】
前記第２貨幣処理装置は、複数枚の貨幣により構成された包装貨幣を生成する包装貨幣生成部と、該包装貨幣を収納する包装貨幣収納部とを有していてもよい。そして、前記第２貨幣処理装置は、該収納部に収納された貨幣が前記包装貨幣生成部に搬送されて該包装貨幣生成部において該貨幣を用いて前記包装貨幣が生成され、該包装貨幣が前記包装貨幣収納部に搬送されて収納される先行収集処理を前記退避処理として行うように構成されていてもよい。
【００１０】
前記の構成では、先行収集処理を行うことにより、収納部から包装貨幣収納部へ貨幣を退避させて収納部の空き容量を増加させることができる。これにより、収納部の空き容量不足に起因する回収入金処理の中断を事前に回避することができる。
【００１１】
前記第２貨幣処理装置は、前記収納部の空き容量が前記回収情報に基づいて特定される貨幣の回収量に応じた空き容量閾値を上回るという第１条件、該収納部における貨幣の収納量が予め定められた退避終了閾値に到達するという第２条件、前記包装貨幣収納部における包装貨幣の収納量が予め定められた収納終了閾値に到達するという第３条件のうちいずれか１つの条件が成立すると、前記先行収集処理を終了するように構成されていてもよい。
【００１２】
前記の構成では、第１条件と第２条件と第３条件のうちいずれか１つが成立するまで先行収集処理を継続することができる。これにより、先行収集処理を適切に行うことができる。具体的には、第１条件が成立する場合に先行収集処理を終了することにより、回収処理における貨幣の回収量に応じた収納部の空き容量を確保することができる。また、第２条件が成立する場合に先行収集処理を終了することにより、先行収集処理において収納部における貨幣の収納量が退避終了閾値よりも少なくなることを防止することができる。また、第３条件が成立する場合に先行収集処理を終了することにより、先行収集処理において包装貨幣収納部における包装貨幣の収納量が収納終了閾値よりも多くなることを防止することができる。
【００１３】
前記退避終了閾値は、ゼロよりも所定量だけ多いニアエンプティ量に設定されていてもよい。
【００１４】
前記の構成では、先行収集処理において収納部における貨幣の収納量がニアエンプティ量よりも少なくなることを防止することができる。すなわち、収納部がニアエンプティ状態（ほぼ空の状態）となることを防止することができる。
【００１５】
前記収納終了閾値は、前記包装貨幣収納部の最大収納量に相当するフル量、または、該フル量よりも所定量だけ少ないニアフル量に設定されていてもよい。
【００１６】
前記の構成では、先行収集処理において包装貨幣収納部における包装貨幣の収納量がフル量またはニアフル量よりも多くなることを防止することができる。すなわち、収納部がフル状態（満杯の状態）またはニアフル状態（ほぼ満杯の状態）となることを防止することができる。
【００１７】
前記第２貨幣処理装置は、前記回収入金処理を開始する前において前記先行収集処理の終了後における前記収納部の空き容量が前記空き容量閾値を上回らない場合に、該収納部に収納されている貨幣または前記包装貨幣収納部に収納されている包装貨幣を該第２貨幣処理装置から回収することを促すための情報を出力する機外回収報知処理を行うように構成されていてもよい。
【００１８】
前記の構成では、先行収集処理において回収処理における貨幣の回収量に応じた収納部の空き容量を確保することができない可能性がある場合に機外回収報知処理を行うことにより、収納部に収納されている貨幣または包装貨幣収納部に収納されている包装貨幣を第２貨幣処理装置から回収すること（機外回収）を促すことができる。そして、機外回収が行われることにより、収納部から貨幣を退避させて収納部の空き容量を確保することができる。例えば、収納部に収納されている貨幣を回収して収納部の空き容量を確保することができる。または、包装貨幣収納部に収納されている包装貨幣を回収して包装貨幣収納部の空き容量を確保し、その空き容量が確保された包装貨幣収納部に収納部に収納されている貨幣を退避させて収納部の空き容量を確保することができる。これにより、収納部の空き容量不足に起因する回収入金処理の中断を事前に回避することができる。
【００１９】
前記第２貨幣処理装置は、機外回収操作に応答して前記収納部に収納されている貨幣の少なくとも一部または前記包装貨幣収納部に収納されている包装貨幣の少なくとも一部を該第２貨幣処理装置の外部に払い出すように構成されていてもよい。
【００２０】
前記の構成では、収納部に収納されている貨幣または包装貨幣収納部に収納されている包装貨幣を第２貨幣処理装置から払い出すことにより、収納部から貨幣を退避させて収納部の空き容量を確保することができる。例えば、収納部に収納されている貨幣を第２貨幣処理装置の外部に払い出して収納部の空き容量を確保することができる。または、包装貨幣収納部に収納されている包装貨幣を第２貨幣処理装置の外部に払い出して包装貨幣収納部の空き容量を確保し、その空き容量が確保された包装貨幣収納部に収納部に収納されている貨幣を退避させて収納部の空き容量を確保することができる。これにより、収納部の空き容量不足に起因する回収入金処理の中断を事前に回避することができる。
【００２１】
または、前記第２貨幣処理装置は、前記収納部に収納されている貨幣を該第２貨幣処理装置から回収することを促すための情報を出力する機外回収報知処理を前記退避処理として行うように構成されていてもよい。
【００２２】
前記の構成では、機外回収報知処理を行うことにより、収納部に収納されている貨幣を第２貨幣処理装置から回収すること（機外回収）を促すことができる。そして、機外回収が行われることにより、収納部から貨幣を回収して収納部の空き容量を確保することができる。これにより、収納部の空き容量不足に起因する回収入金処理の中断を事前に回避することができる。
【００２３】
前記第２貨幣処理装置は、機外回収操作に応答して前記収納部に収納されている貨幣の少なくとも一部を該第２貨幣処理装置の外部に払い出すように構成されていてもよい。
【００２４】
前記の構成では、収納部に収納されている貨幣を第２貨幣処理装置から払い出すことにより、収納部から第２貨幣処理装置の外部へ貨幣を払い出して収納部の空き容量を確保することができる。これにより、収納部の空き容量不足に起因する回収入金処理の中断を事前に回避することができる。
【００２５】
または、前記第２貨幣処理装置は、複数枚の貨幣により構成された包装貨幣を生成する包装貨幣生成部と、該包装貨幣を収納する包装貨幣収納部とを有していてもよい。そして、前記第２貨幣処理装置は、前記収納部に収納されている貨幣または該包装貨幣収納部に収納されている包装貨幣を該第２貨幣処理装置から回収することを促すための情報を出力する機外回収報知処理を前記退避処理として行うように構成されていてもよい。
【００２６】
前記の構成では、機外回収報知処理を行うことにより、収納部に収納されている貨幣または包装貨幣収納部に収納されている包装貨幣を第２貨幣処理装置から回収すること（機外回収）を促すことができる。そして、機外回収が行われることにより、収納部から貨幣を退避させて収納部の空き容量を確保することができる。例えば、収納部に収納されている貨幣を回収して収納部の空き容量を確保することができる。または、包装貨幣収納部に収納されている包装貨幣を回収して包装貨幣収納部の空き容量を確保し、その空き容量が確保された包装貨幣収納部に収納部に収納されている貨幣を退避させて収納部の空き容量を確保することができる。これにより、収納部の空き容量不足に起因する回収入金処理の中断を事前に回避することができる。
【００２７】
前記第２貨幣処理装置は、機外回収操作に応答して前記収納部に収納されている貨幣の少なくとも一部または前記包装貨幣収納部に収納されている包装貨幣の少なくとも一部を該第２貨幣処理装置の外部に払い出すように構成されていてもよい。
【００２８】
前記の構成では、収納部に収納されている貨幣または包装貨幣収納部に収納されている包装貨幣を第２貨幣処理装置から払い出すことにより、収納部から貨幣を退避させて収納部の空き容量を確保することができる。例えば、収納部に収納されている貨幣を第２貨幣処理装置の外部に払い出して収納部の空き容量を確保することができる。または、包装貨幣収納部に収納されている包装貨幣を第２貨幣処理装置の外部に払い出して包装貨幣収納部の空き容量を確保し、その空き容量が確保された包装貨幣収納部に収納部に収納されている貨幣を退避させて収納部の空き容量を確保することができる。これにより、収納部の空き容量不足に起因する回収入金処理の中断を事前に回避することができる。
【００２９】
前記退避開始閾値は、前記収納部の最大収納量に相当するフル量、または、該フル量よりも所定量だけ少ないニアフル量に設定されていてもよい。
【００３０】
前記の構成では、回収入金処理の途中で収納部における貨幣の収納量がフル量またはニアフル量に到達して収納部の空き容量が不足する可能性がある場合に、回収入金処理が開始される前に収納部から貨幣を退避させて収納部の空き容量を増加させることができる。これにより、収納部の空き容量不足に起因する回収入金処理の中断を事前に回避することができる。
【００３１】
また、ここに開示する技術は、回収処理において回収された貨幣を処理する貨幣処理装置に関し、この貨幣処理装置は、前記貨幣を収納する収納部と、操作者による操作が与えられる操作部と、前記操作部に与えられた回収入金操作に応答して、前記回収処理において回収された貨幣を前記収納部に収納する回収入金処理が行われるように前記貨幣処理装置の動作を制御する制御部とを備えている。前記制御部は、前記回収処理における貨幣の回収量を特定するための回収情報を取得するように構成され、前記回収入金処理を開始する前に取得された回収情報に基づいて特定される貨幣の回収量と前記収納部における貨幣の収納量との合計量が予め定められた退避開始閾値を上回る場合に、該収納部から貨幣を退避させるための退避処理が該回収入金処理を開始する前に行われるように前記貨幣処理装置の動作を制御する。
【００３２】
前記の構成では、回収入金処理の途中で収納部の空き容量が不足する可能性がある場合に、回収入金処理が開始される前に収納部から貨幣を退避させて収納部の空き容量を増加させることができる。これにより、回収入金処理の途中で収納部の空き容量が不足する可能性を低減することができるので、収納部の空き容量不足に起因する回収入金処理の中断を事前に回避することができる。
【００３３】
前記貨幣処理装置は、複数枚の貨幣により構成された包装貨幣を生成する包装貨幣生成部と、前記包装貨幣を収納する包装貨幣収納部とを備えていてもよい。そして、前記制御部は、前記収納部に収納された貨幣が前記包装貨幣生成部に搬送されて該包装貨幣生成部において該貨幣を用いて前記包装貨幣が生成され、該包装貨幣が前記包装貨幣収納部に搬送されて収納される先行収集処理が前記退避処理として行われるように前記貨幣処理装置を制御するように構成されていてもよい。
【００３４】
前記の構成では、先行収集処理を行うことにより、収納部から包装貨幣収納部へ貨幣を退避させて収納部の空き容量を増加させることができる。これにより、収納部の空き容量不足に起因する回収入金処理の中断を事前に回避することができる。
【００３５】
前記制御部は、前記収納部に収納されている貨幣を前記貨幣処理装置から回収することを促すための情報を出力する機外回収報知処理を前記退避処理として行うように構成されていてもよい。
【００３６】
前記の構成では、機外回収報知処理を行うことにより、収納部に収納されている貨幣を第２貨幣処理装置から回収すること（機外回収）を促すことができる。そして、機外回収が行われることにより、収納部から貨幣を回収して収納部の空き容量を確保することができる。これにより、収納部の空き容量不足に起因する回収入金処理の中断を事前に回避することができる。
【００３７】
前記貨幣処理装置は、複数枚の貨幣により構成された包装貨幣を生成する包装貨幣生成部と、前記包装貨幣を収納する包装貨幣収納部とを備えていてもよい。そして、前記制御部は、前記収納部に収納されている貨幣または前記包装貨幣収納部に収納されている包装貨幣を前記貨幣処理装置から回収することを促すための情報を出力する機外回収報知処理を前記退避処理として行うように構成されていてもよい。
【００３８】
前記の構成では、機外回収報知処理を行うことにより、収納部に収納されている貨幣または包装貨幣収納部に収納されている包装貨幣を第２貨幣処理装置から回収すること（機外回収）を促すことができる。そして、機外回収が行われることにより、収納部から貨幣を退避させて収納部の空き容量を確保することができる。例えば、収納部に収納されている貨幣を回収して収納部の空き容量を確保することができる。または、包装貨幣収納部に収納されている包装貨幣を回収して包装貨幣収納部の空き容量を確保し、その空き容量が確保された包装貨幣収納部に収納部に収納されている貨幣を退避させて収納部の空き容量を確保することができる。これにより、収納部の空き容量不足に起因する回収入金処理の中断を事前に回避することができる。
【００３９】
また、ここに開示する技術は、第１貨幣処理装置と貨幣を収納する収納部を有する第２貨幣処理装置とを用いた貨幣処理方法に関し、この貨幣処理方法は、前記第１貨幣処理装置に収納されている貨幣を回収するための回収処理が行われるように該第１貨幣処理装置の動作を制御する第１工程と、前記回収処理における貨幣の回収量を特定するための回収情報を取得する第２工程と、第２工程において取得された前記回収情報に基づいて特定される貨幣の回収量と前記収納部における貨幣の収納量との合計量が予め定められた退避開始閾値を上回る場合に、該収納部から貨幣を退避させるための退避処理が行われるように前記第２貨幣処理装置の動作を制御する第３工程と、前記第３工程の後に、前記回収処理において回収された貨幣を前記収納部に収納する回収入金処理が行われるように前記第２貨幣処理装置の動作を制御する第４工程とを備えている。
【００４０】
前記の方法では、回収入金処理の途中で収納部の空き容量が不足する可能性がある場合に、回収入金処理が開始される前に収納部から貨幣を退避させて収納部の空き容量を増加させることができる。これにより、回収入金処理の途中で収納部の空き容量が不足する可能性を低減することができるので、収納部の空き容量不足に起因する回収入金処理の中断を事前に回避することができる。
【発明の効果】
【００４１】
ここに開示する技術によれば、収納部の空き容量不足に起因する回収入金処理の中断を事前に回避することができる。
【図面の簡単な説明】
【００４２】
【図１】実施形態による貨幣処理システムの構成を例示する概略図である。
【図２】第１貨幣処理装置の構成を例示するブロック図である。
【図３】第２貨幣処理装置の構成を例示するブロック図である。
【図４】第２貨幣処理装置の紙幣処理装置の内部構造を例示する概略図である。
【図５】第１貨幣処理装置の動作を例示するフローチャートである。
【図６】第２貨幣処理装置の動作を例示するフローチャートである。
【図７】第２貨幣処理装置における入金準備処理を例示するフローチャートである。
【発明を実施するための形態】
【００４３】
以下、実施の形態を図面を参照して詳しく説明する。なお、図中同一または相当部分には同一の符号を付しその説明は繰り返さない。
【００４４】
（貨幣処理システム）
図１は、実施形態による貨幣処理システム１の構成を例示している。この貨幣処理システム１は、第１貨幣処理装置１０と、第２貨幣処理装置２０と、貨幣保管装置３０と、管理コンピュータ４０とを備えている。例えば、貨幣処理システム１は、銀行などの金融機関に設置されている。
【００４５】
〔第１貨幣処理装置〕
図２は、第１貨幣処理装置１０の構成を例示している。第１貨幣処理装置１０は、硬貨入出金部１０１と、包装硬貨入出金部１０２と、紙幣入出金部１０３と、硬貨収納部１０４と、包装硬貨収納部１０５と、紙幣収納部１０６と、搬送部１０７と、識別部１０８と、操作表示部１０９と、カード読取部１１０と、レシート発行部１１１と、記憶部１１２と、通信部１１３と、制御部１１４とを備えている。この例では、第１貨幣処理装置１０は、ＡＴＭコーナーなどに設置される両替機を構成している。例えば、この例では、両替される貨幣が第１貨幣処理装置１０に入金され、操作者によって指定された金種の貨幣が第１貨幣処理装置１０から出金される。
【００４６】
〈硬貨入出金部〉
硬貨入出金部１０１は、硬貨が投入されたり硬貨を払い出したりするように構成されている。図１に示すように、硬貨入出金部１０１は、前方に開口する入出金口を有し、その入出金口を介して硬貨の投入および払出が行われるように構成されている。また、この例では、硬貨入出金部１０１の入出金口には、シャッタが設けられている。
【００４７】
〈包装硬貨入出金部〉
包装硬貨入出金部１０２は、包装硬貨が投入されたり包装硬貨を払い出したりするように構成されている。なお、包装硬貨は、所定枚数（例えば５０枚）の硬貨が包装されることで構成されている。図１に示すように、包装硬貨入出金部１０２は、上方に開口する入出金口を有し、その入出金口を介して包装硬貨の投入および払出が行われるように構成されている。また、この例では、包装硬貨入出金部１０２の入出金口には、シャッタが設けられている。
【００４８】
〈紙幣入出金部〉
紙幣入出金部１０３は、紙幣が投入されたり紙幣を払い出したりするように構成されている。図１に示すように、紙幣入出金部１０３は、上方に開口する入出金口を有し、その入出金口を介して紙幣の投入および払出が行われるように構成されている。また、この例では、紙幣入出金部１０３の入出金口には、シャッタが設けられている。
【００４９】
〈各種収納部〉
硬貨収納部１０４は、硬貨を金種別に収納するように構成されている。包装硬貨収納部１０５は、包装硬貨を金種別に収納するように構成されている。紙幣収納部１０６は、紙幣を金種別に収納するように構成されている。
【００５０】
〈搬送部と識別部〉
搬送部１０７は、貨幣（この例では硬貨と包装硬貨と紙幣）を搬送するように構成されている。識別部１０８は、貨幣に対して識別処理と計数処理とを行うように構成されている。識別処理では、識別部１０８は、貨幣の金種や真偽や正損などを識別する。計数処理では、識別部１０８は、貨幣の数量を種別毎に計数する。
【００５１】
〈操作表示部〉
操作表示部１０９は、操作者による操作が与えられ、その操作者による操作に応じて情報を入力するように構成されている。これにより、操作者は、操作表示部１０９を操作して第１貨幣処理装置１０に各種処理を行わせることができる。すなわち、第１貨幣処理装置１０は、操作表示部１０９に与えられた操作者による操作に応答して動作するように構成されている。また、操作表示部１０９は、第１貨幣処理装置１０における貨幣の処理状況や貨幣の在高などの各種情報を表示するように構成されている。例えば、操作表示部１０９は、タッチパネルによって構成されている。
【００５２】
〈カード読取部，レシート発行部〉
カード読取部１１０は、カード（例えば操作者が所持するＩＤカードやキャッシュカード）から情報を読み取るように構成されている。レシート発行部１１１は、第１貨幣処理装置１０おける貨幣の処理状況や貨幣の在高などの各種情報をレシートに印字して各種情報が印字されたレシートを発行するように構成されている。
【００５３】
〈記憶部〉
記憶部１１２は、第１貨幣処理装置１０における貨幣の処理状況や貨幣の在高などの各種情報を記憶するように構成されている。例えば、記憶部１１２は、ハードディスクドライブやフラッシュメモリなどの汎用ストレージデバイスによって構成されている。
【００５４】
〈通信部〉
通信部１１３は、第１貨幣処理装置１０（具体的には制御部１１４）が貨幣処理システム１の各部（具体的には第２貨幣処理装置２０と貨幣保管装置３０と管理コンピュータ４０）や外部機器（例えば操作者により操作されるタブレット端末２やスマートフォン３など）との間で有線通信や無線通信を行うために設けられている。
【００５５】
〈制御部〉
制御部１１４は、第１貨幣処理装置１０の各部（具体的には、硬貨入出金部１０１と包装硬貨入出金部１０２と紙幣入出金部１０３と硬貨収納部１０４と包装硬貨収納部１０５と紙幣収納部１０６と搬送部１０７と識別部１０８と操作表示部１０９とカード読取部１１０とレシート発行部１１１と記憶部１１２と通信部１１３）と信号を伝達可能に接続されている。そして、制御部１１４は、通信部１１３を経由して、貨幣処理システム１の各部や、タブレット端末２やスマートフォン３などの外部機器と通信可能となっている。また、第１貨幣処理装置１０の各部には、貨幣の通過を検出する通過センサなどの各種センサが設けられており、これらの各種センサの検出信号は、制御部１１４に送信される。
【００５６】
そして、制御部１１４は、第１貨幣処理装置１０において各種処理が行われるように、操作表示部１０９に与えられた操作や、第１貨幣処理装置１０の各部（各部に設けられた各種センサを含む），貨幣処理システム１の各部，タブレット端末２やスマートフォン３などの外部機器から受信した信号や情報に基づいて、第１貨幣処理装置１０の各部を制御して第１貨幣処理装置１０の動作を制御するように構成されている。例えば、制御部１１４は、ＣＰＵなどの演算処理部，演算処理部を動作させるためのプログラムや情報を記憶するメモリなどの記憶部などによって構成されている。なお、第１貨幣処理装置１０の動作については、後で詳しく説明する。
【００５７】
〔第２貨幣処理装置〕
図３は、第２貨幣処理装置２０の構成を例示している。第２貨幣処理装置２０は、紙幣処理装置２０１と、硬貨処理装置２０２と、操作表示部２０３（操作部/表示部）と、印字部２０４と、記憶部２０５と、通信部２０６を備えている。例えば、第２貨幣処理装置２０は、銀行のバックヤードなどに設置される出納機を構成している。
【００５８】
〈紙幣処理装置〉
図４は、紙幣処理装置２０１の構成を例示している。紙幣処理装置２０１は、紙幣および紙幣束を処理するように構成されている。具体的には、紙幣処理装置２０１は、紙幣の入出金処理，紙幣束の生成処理，紙幣束の出金処理などを行うように構成されている。なお、紙幣束は、所定枚数（例えば１００枚）の紙幣によって構成され、これらの所定枚数の紙幣は、帯封紙で帯封されている。
【００５９】
《筐体》
紙幣処理装置２０１は、筐体５０を備えている。筐体５０は、直方体型の箱状に形成されている。また、紙幣処理装置２０１は、投入部５１と、投出部５２と、出金リジェクト部５３と、紙幣一時保留部５４と、１つまたは複数（この例では４つ）の紙幣収納部５５と、紙幣搬送部５６と、紙幣識別部５７と、表裏反転部５８と、束生成部６１と、束投出部６２と、１つまたは複数（この例では４つ）の束収納部６３と、束搬送部６４と、束識別部６５とを備えている。これらの構成部材は、筐体５０に収納されている。
【００６０】
《投入部》
投入部５１は、紙幣が投入されるように構成されている。この例では、投入部５１は、紙幣処理装置２０１の前方（図４では左方）に開口する投入口を有し、この投入口を介して紙幣が投入されるように構成されている。また、投入部５１は、複数枚の紙幣を受け入れ可能に構成されている。この例では、投入部５１には、投入部５１に投入された複数枚の紙幣を１枚ずつ紙幣搬送部５６に繰り出す繰出部５１ａが設けられている。
【００６１】
《投出部》
投出部５２は、紙幣を投出するように構成されている。この例では、投出部５２は、複数枚の紙幣を保持可能に構成されている。また、投出部５２は、紙幣処理装置２０１の前方（図４では左方）に開口する投出口を有し、この投出口を介して紙幣が投出されるように構成されている。また、この例では、投出部５２の投出口には、シャッタ５２ａが設けられている。なお、投出部５２は、紙幣の入金処理において入金リジェクト部（入金処理において識別できない紙幣である入金リジェクト紙幣を返却する部分）として利用されてもよい。
【００６２】
《出金リジェクト部》
出金リジェクト部５３は、紙幣の出金処理において出金すべきではないと判定される紙幣（出金リジェクト紙幣）を集積するように構成されている。この例では、出金リジェクト部５３は、複数枚のリジェクト紙幣を保持可能に構成されている。また、出金リジェクト部５３は、所定の権限を有する操作者の操作により開放される前扉を有している。
【００６３】
《紙幣一時保留部》
紙幣一時保留部５４は、紙幣（例えば入金処理において入金された紙幣）を一時的に保留（収納）するように構成されている。この例では、紙幣一時保留部５４は、複数枚の紙幣の厚さ方向が上下方向を向き且つ複数枚の紙幣が上下方向に一列に並ぶように複数枚の紙幣を収納する。また、紙幣一時保留部５４は、紙幣搬送部５６との間において紙幣の受け渡しを行うように構成されている。
【００６４】
この例では、紙幣一時保留部５４には、昇降ステージ５４ａと紙幣繰出部５４ｂとが設けられている。昇降ステージ５４ａは、紙幣が載置されて上下に昇降するように構成されている。紙幣繰出部５４ｂは、紙幣搬送部５６から紙幣一時保留部５４に紙幣を１枚ずつ繰り入れ、紙幣一時保留部５４から紙幣搬送部５６に紙幣を１枚ずつ繰り出すように構成されている。
【００６５】
《紙幣収納部》
紙幣収納部５５は、紙幣を収納するように構成されている。この例では、紙幣収納部５５は、複数枚の紙幣の厚さ方向が上下方向を向き且つ複数枚の紙幣が上下方向に一列に並ぶように複数枚の紙幣を収納する。また、紙幣搬送部５６との間において紙幣の受け渡しを行うように構成されている。
【００６６】
この例では、紙幣収納部５５には、昇降ステージ５５ａと紙幣繰出部５５ｂとが設けられている。昇降ステージ５５ａは、紙幣が載置されて上下に昇降するように構成されている。紙幣繰出部５５ｂは、紙幣搬送部５６から紙幣収納部５５に紙幣を１枚ずつ繰り入れ、紙幣収納部５５から紙幣搬送部５６に紙幣を１枚ずつ繰り出すように構成されている。
【００６７】
なお、この例では、紙幣収納部５５は、金種別収納部を構成している。具体的には、紙幣収納部５５は、その紙幣収納部５５に予め割り当てられた金種の紙幣を収納するように構成されている。なお、紙幣収納部５５は、異なる金種の紙幣を混合した状態で収納するように構成されていてもよい。
【００６８】
《紙幣搬送部》
紙幣搬送部５６は、投入部５１と投出部５２と出金リジェクト部５３と紙幣一時保留部５４と紙幣収納部５５と束生成部６１とに接続されて紙幣を搬送するように構成されている。例えば、紙幣搬送部５６は、紙幣収納部５５（または、投入部５１，紙幣一時保留部５４）から繰り出された紙幣を束生成部６１に搬送する。なお、紙幣搬送部５６は、例えば、紙幣を搬送するための搬送ベルト，搬送ベルトを駆動するための駆動機構，紙幣の搬送を案内するためのガイド機構，紙幣の搬送方向を切り換えるための分岐機構などによって構成されている。
【００６９】
《紙幣識別部》
紙幣識別部５７は、紙幣搬送部５６によって搬送される紙幣に対して識別処理と計数処理を行うように構成されている。識別処理では、紙幣識別部５７は、紙幣の金種，真偽，正損，新旧，搬送状態，表裏などを識別する。計数処理では、紙幣識別部５７は、紙幣の枚数を種別毎に計数する。例えば、紙幣識別部５７は、ラインセンサ，磁気センサ，画像センサなどの各種センサ，ＣＰＵなどの演算処理部，演算処理部を動作させるためのプログラムや情報を記憶するメモリなどの記憶部などによって構成されている。
【００７０】
《表裏反転部》
表裏反転部５８は、紙幣搬送部５６によって搬送される紙幣の表裏を選択的に反転させるように構成されている。具体的には、表裏反転部５８は、紙幣搬送部５６によって搬送される紙幣の表裏に関する情報（例えば紙幣識別部５７による紙幣の表裏の識別結果）に基づいて、紙幣の表裏の向きが予め定められた向きと一致している場合に、その紙幣を反転させずに通過させ、紙幣の表裏の向きが予め定められた向きと一致していない場合に、その紙幣を反転させて通過させる。
【００７１】
《束生成部》
束生成部６１は、紙幣束を生成するように構成されている。この例では、束生成部６１は、１つまたは複数（この例では２つ）の紙幣集積部６１ａと、帯封部６１ｂと、アーム機構６１ｃとを有している。紙幣集積部６１ａは、所定枚数の紙幣を集積するように構成されている。帯封部６１ｂは、所定枚数（例えば１００枚）の紙幣の集合体に帯封紙を巻き付けて紙幣束を生成するように構成されている。アーム機構６１ｃは、上下一対のアーム部を有し、紙幣集積部６１ａに集積された所定枚数の紙幣の集合体をアーム部により保持して帯封部６１ｂに移動させるように構成されている。また、アーム機構６１ｃは、帯封部６１ｂによって生成された紙幣束をアーム部により保持して束搬送部６４に移動させるように構成されている。
【００７２】
例えば、紙幣収納部５５から繰り出されて束生成部６１に搬送された紙幣は、紙幣集積部６１ａに集積される。そして、紙幣集積部６１ａに所定枚数の紙幣が集積されると、アーム機構６１ｃは、紙幣集積部６１ａから帯封部６１ｂに所定枚数の紙幣の集合体を移動させる。帯封部６１ｂは、所定枚数の紙幣の集合体に帯封紙を巻き付けて紙幣束を生成する。帯封部６１ｂにおいて紙幣束が生成されると、アーム機構６１ｃは、帯封部６１ｂから束搬送部６４に紙幣束を移動させる。このようにして、束生成部６１において生成された紙幣束が束搬送部６４に繰り出される。
【００７３】
なお、この例では、束生成部６１は、２つの紙幣集積部６１ａに所定枚数の紙幣が交互に集積されるように構成されていてもよい。そして、アーム機構６１ｃが一方の紙幣集積部６１ａに集積された所定枚数の紙幣を取り出して帯封部６１ｂに移動させる動作と、他方の紙幣集積部６１ａに紙幣を集積する動作を並行して行うことにより、複数の紙幣束を生成する場合の処理時間を短縮することができる。
【００７４】
《束投出部》
束投出部６２は、紙幣束を投出するように構成されている。この例では、束投出部６２は、紙幣処理装置２０１の前方（図４では左方）に開口する束投出口を有し、この束投出口を介して紙幣束が投出されるように構成されている。また、この例では、束投出部６２の束投出口には、シャッタ６２ａが設けられている。
【００７５】
《束収納部》
束収納部６３は、紙幣束を収納するように構成されている。この例では、束収納部６３は、複数の紙幣束の束厚方向が上下方向を向き且つ複数の紙幣束が上下方向に一列に並ぶように複数の紙幣束を収納する。また、束収納部６３は、束搬送部６４との間において紙幣束の受け渡しを行うように構成されている。この例では、束収納部６３には、昇降ステージ６３ａが設けられている。昇降ステージ６３ａは、紙幣束が載置されて昇降するように構成されている。
【００７６】
なお、この例では、束収納部６３は、金種別束収納部を構成している。具体的には、束収納部６３は、その束収納部６３に予め割り当てられた金種の紙幣束を収納するように構成されている。なお、束収納部６３は、異なる金種の紙幣束を混合した状態で収納するように構成されていてもよい。
【００７７】
《束搬送部》
束搬送部６４は、束生成部６１と束投出部６２と束収納部６３とに接続されて紙幣束を搬送するように構成されている。例えば、束搬送部６４は、束生成部６１から繰り出された紙幣束を束収納部６３に搬送する。
【００７８】
この例では、束搬送部６４は、昇降通路６４ａと、昇降ステージ６４ｂと、搬送ベルト６４ｃとを有している。昇降通路６４ａは、紙幣束を上下方向に搬送するために設けられている。昇降ステージ６４ｂは、昇降通路６４ａに設けられている。そして、昇降ステージ６４ｂは、紙幣束が載置されて上下に昇降するように構成されている。搬送ベルト６４ｃは、紙幣束を水平方向に搬送するように構成されている。具体的には、搬送ベルト６４ｃには、紙幣束に搬送ベルト６４ｃの搬送力を伝達するための突起６４ｄが設けられており、搬送ベルト６４ｃが駆動すると搬送ベルト６４ｃの突起６４ｄが紙幣束に当接して搬送ベルト６４ｃとともに紙幣束が移動する。
【００７９】
束生成部６１から束搬送部６４の昇降通路６４ａに繰り出された紙幣束は、昇降通路６４ａの下端位置に停止している昇降ステージ６４ｂに載置され、昇降ステージ６４ｂによって上下方向に搬送される。
【００８０】
昇降ステージ６４ｂに載置された紙幣束を束投出部６２から投出する場合、昇降ステージ６４ｂが昇降通路６４ａの中間位置（具体的には束投出部６２の下端に対応する位置）に停止し、束投出部６２のシャッタ６２ａが開状態となる。これにより、操作者は、束投出部６２から紙幣束を取り出すことができる。
【００８１】
また、昇降ステージ６４ｂに載置された紙幣束を束収納部６３に収納する場合、昇降ステージ６４ｂが昇降通路６４ａの上端位置に移動し、昇降ステージ６４ｂに載置された紙幣束が搬送ベルト６４ｃに引き渡される。搬送ベルト６４ｃに引き渡された紙幣束は、搬送ベルト６４ｃによって束収納部６３（その紙幣束を収納する予定となっている束収納部６３）の上方に搬送され、束収納部６３の上端部に設けられた開口から束収納部６３の内部に投入されて束収納部６３に設けられた昇降ステージ６３ａ上（または昇降ステージ６３ａ上に既に集積されている紙幣束上）に載置される。これにより、紙幣束が束収納部６３に収納される。
【００８２】
また、束収納部６３に収納された紙幣束を束投出部６２から投出する場合、束収納部６３において昇降ステージ６３ａが上昇し、昇降ステージ６３ａに載置された最上段の紙幣束が搬送ベルト６４ｃに引き渡される。搬送ベルト６４ｃに引き渡された紙幣束は、搬送ベルト６４ｃによって昇降通路６４ａの昇降ステージ６４ｂに搬送される。そして、昇降ステージ６４ｂが中間位置まで降下すると、束投出部６２のシャッタ６２ａが開状態となる。これにより、操作者は、束投出部６２から紙幣束を取り出すことができる。
【００８３】
《束識別部》
束識別部６５は、束搬送部６４によって搬送される紙幣束に対して識別処理と計数処理とを行うように構成されている。識別処理では、束識別部６５は、紙幣の金種や束生成状態などを識別する。計数処理では、束識別部６５は、紙幣の枚数を種別毎に計数する。例えば、束識別部６５は、搬送される紙幣束の厚み方向の端面（この例では下面）の画像を取得する画像センサ、ＣＰＵなどの演算処理部、演算処理部を動作させるためのプログラムや情報を記憶するメモリなどの記憶部などによって構成されている。
【００８４】
この例では、束識別部６５は、束収納部６３と昇降通路６４ａとの間に設けられ、搬送ベルト６４ｃによって搬送される紙幣束に対して識別処理と計数処理とを行うように構成されている。
【００８５】
〈硬貨処理装置〉
硬貨処理装置２０２は、硬貨および包装硬貨を処理するように構成されている。具体的には、硬貨処理装置２０２は、硬貨の入出金処理，包装硬貨の生成処理，包装硬貨の出金処理などを行うように構成されている。なお、包装硬貨は、所定枚数（例えば５０枚）の硬貨によって構成され、これらの所定枚数の硬貨は、包装媒体（例えば紙やフィルムなど）で包装されている。例えば、硬貨処理装置２０２は、硬貨が投入される投入部と、硬貨を払い出す投出部と、硬貨を金種別に収納する硬貨収納部と、硬貨を搬送する硬貨搬送部と、硬貨を識別する硬貨識別部と、包装硬貨を生成する包装硬貨生成部と、包装硬貨を払い出す包装硬貨投出部と、包装硬貨を金種別に収納する包装硬貨収納部と、包装硬貨を搬送する搬送部とを備えている。
【００８６】
〈操作表示部〉
操作表示部２０３は、操作者による操作が与えられ、操作者による操作に応じて情報を入力するように構成されている。これにより、操作者は、操作表示部２０３を操作して第２貨幣処理装置２０に各種処理を行わせることができる。すなわち、第２貨幣処理装置２０は、操作表示部２０３に与えられた操作者による操作に応答して動作するように構成されている。また、操作表示部２０３は、第２貨幣処理装置２０における貨幣の処理状況や貨幣の在高などの各種情報を表示するように構成されている。例えば、操作表示部２０３は、タッチパネルによって構成されている。
【００８７】
〈印字部〉
印字部２０４は、第２貨幣処理装置２０おける貨幣の処理状況や貨幣の在高などの各種情報をレシートに印字して各種情報が印字されたレシートを発行するように構成されている。
【００８８】
〈記憶部〉
記憶部２０５は、第２貨幣処理装置２０における貨幣の処理状況や貨幣の在高などの各種の情報を記憶するように構成されている。例えば、記憶部２０５は、ハードディスクドライブやフラッシュメモリなどの汎用ストレージデバイスによって構成されている。
【００８９】
〈通信部〉
通信部２０６は、第２貨幣処理装置２０（具体的には制御部２０７）が貨幣処理システム１の各部（具体的には第１貨幣処理装置１０と貨幣保管装置３０と管理コンピュータ４０）や外部機器（例えば操作者により操作されるタブレット端末２やスマートフォン３など）との間で有線通信や無線通信を行うために設けられている。
【００９０】
〈制御部〉
制御部２０７は、紙幣処理装置２０１の各部（具体的には投入部５１と投出部５２と出金リジェクト部５３と紙幣一時保留部５４と紙幣収納部５５と紙幣搬送部５６と紙幣識別部５７と表裏反転部５８と束生成部６１と束投出部６２と束収納部６３と束搬送部６４と束識別部６５）と信号を伝送可能に接続されている。また、制御部２０７は、硬貨処理装置２０２や操作表示部２０３や印字部２０４や記憶部２０５や通信部２０６と信号を伝送可能に接続されている。そして、制御部２０７は、通信部２０６を経由して、貨幣処理システム１の各部や、タブレット端末２やスマートフォン３などの外部機器と通信可能となっている。また、紙幣処理装置２０１の各部には、紙幣や紙幣束の通過を検出する通過センサなどの各種センサが設けられ、硬貨処理装置２０２の各部には、硬貨や包装硬貨の通貨を検出する通貨センサなどの各種センサが設けられており、これらの各種センサの検出信号は、制御部２０７に送信される。
【００９１】
そして、制御部２０７は、第２貨幣処理装置２０（具体的には紙幣処理装置２０１および硬貨処理装置２０２）において各種処理が行われるように、操作表示部２０３に与えられた操作や、第２貨幣処理装置２０の各部（各部に設けられた各種センサを含む），貨幣処理システム１の各部，タブレット端末２やスマートフォン３などの外部機器から受信した信号や情報に基づいて、第２貨幣処理装置２０の各部を制御して第２貨幣処理装置２０の動作を制御するように構成されている。例えば、制御部１１４は、ＣＰＵなどの演算処理部，演算処理部を動作させるためのプログラムや情報を記憶するメモリなどの記憶部などによって構成されている。なお、第２貨幣処理装置２０の動作については、後で詳しく説明する。
【００９２】
〔貨幣保管装置〕
貨幣保管装置３０は、貨幣（具体的には硬貨，包装硬貨，紙幣，紙幣束）を引き出し状の収納部に収納するとともに、各収納部における貨幣の収納状況を検出するように構成されている。また、貨幣保管装置３０は、貨幣保管装置３０における貨幣の処理状況や貨幣の在高などの各種情報を記憶するように構成されている。
【００９３】
また、貨幣保管装置３０は、操作者による操作が与えられ、操作者による操作に応答して動作するように構成されている。さらに、貨幣保管装置３０は、貨幣保管装置３０における貨幣の在高などの各種情報を表示するように構成されている。
【００９４】
また、貨幣保管装置３０は、貨幣処理システム１の各部（具体的には第１貨幣処理装置１０と第２貨幣処理装置２０と管理コンピュータ４０）や、タブレット端末２やスマートフォン３などの外部機器と通信可能に構成されている。
【００９５】
そして、貨幣保管装置３０は、操作者による操作や、貨幣保管装置３０の各部（各部に設けられた各種センサを含む），貨幣処理システム１の各部，タブレット端末２やスマートフォン３などの外部機器から受信した信号や情報に基づいて、各種処理を行うように構成されている。
【００９６】
〔管理コンピュータ〕
管理コンピュータ４０は、貨幣処理システム１の各部（具体的には第１貨幣処理装置１０と第２貨幣処理装置２０と貨幣保管装置３０）や外部機器（例えば操作者により操作されるタブレット端末２やスマートフォン３など）と通信可能に構成されている。また、管理コンピュータ４０は、貨幣処理システム１の各部の処理状況などの各種情報を記憶するように構成されている。
【００９７】
また、管理コンピュータ４０は、操作者による操作が与えられ、その操作者による操作に応答して動作するように構成されている。さらに、管理コンピュータ４０は、貨幣処理システム１の各部の処理状況などの各種情報を表示するように構成されている。
【００９８】
そして、管理コンピュータ４０は、操作者による操作や、貨幣保管装置３０の各部（各部に設けられた各種センサを含む），貨幣処理システム１の各部，タブレット端末２やスマートフォン３などの外部機器から受信した信号や情報に基づいて、各種処理を行うように構成されている。
【００９９】
〔貨幣処理装置の動作〕
次に、第１貨幣処理装置１０および第２貨幣処理装置２０の動作について説明する。なお、以下の説明では、紙幣（貨幣の一例）および紙幣束（包装貨幣の一例）に関する処理を例に挙げて説明する。
【０１００】
〔第１貨幣処理装置の動作〕
第１貨幣処理装置１０は、操作者による回収操作に応答して回収処理を行う。回収操作は、第１貨幣処理装置１０に回収処理を行わせるための操作であり、回収処理は、第１貨幣処理装置１０に収納されている紙幣を回収するための処理である。回収処理では、第１貨幣処理装置１０から紙幣が払い出されて回収される。
【０１０１】
また、第１貨幣処理装置１０は、回収情報を第２貨幣処理装置２０に送信するように構成されている。この例では、第１貨幣処理装置１０は、回収処理を完了すると回収情報を第２貨幣処理装置２０に送信する。なお、回収情報は、回収処理における紙幣の回収量を特定するための情報を含んでいる。この例では、回収情報には、紙幣の回収量が金種別に示されている。
【０１０２】
なお、第１貨幣処理装置１０は、紙幣収納部１０６における紙幣の収納量が予め定められた回収開始閾値（例えばニアフル量）を上回る場合に、第１貨幣処理装置１０から貨幣を回収することを促すための情報（回収報知情報）を出力するように構成されていてもよい。また、第１貨幣処理装置１０は、予め定められた回収スケジュールに基づいて、回収報知情報を定期的に出力するように構成されていてもよい。例えば、第１貨幣処理装置１０の制御部１１４は、第１貨幣処理装置１０から貨幣を回収することを促すための画像を操作表示部１０９や、管理コンピュータ４０やタブレット端末２やスマートフォン３などの他の機器に表示させるように構成されていてもよい。  
【０１０３】
〔第１貨幣処理装置の動作の詳細〕
次に、図５を参照して、第１貨幣処理装置１０の動作（回収処理に関連する動作）について詳しく説明する。
【０１０４】
〈ステップＳ１１〉
まず、第１貨幣処理装置１０の制御部１１４は、操作者による回収操作が操作表示部１０９に与えられたか否かを判定する。操作者による回収操作が操作表示部１０９に与えられると、ステップＳ１２へ進む。例えば、制御部１１４は、回収処理の実行を選択することが可能なメニュー画面（画像）を操作表示部１０９に表示させ、そのメニュー画面において回収処理の実行が操作者によって選択されると操作者による回収操作が操作表示部１０９に与えられたと判定する。回収処理の実行を選択することが可能なメニュー画面（画像）は、回収処理において回収すべき紙幣の枚数（金種別の枚数）を指定することができるように構成されていてもよい。
【０１０５】
〈ステップＳ１２〉
次に、制御部１１４は、第１貨幣処理装置１０に収納されている紙幣を回収するための回収処理が行われるように第１貨幣処理装置１０の動作を制御する。回収処理では、紙幣収納部１０６に収納されている紙幣が繰り出されて識別部１０８において識別されて紙幣入出金部１０３から払い出される。具体的には、回収処理では、紙幣収納部１０６に収納されている紙幣が搬送部１０７に１枚ずつ繰り出されて識別部１０８に搬送され、識別部１０８において識別された後に、紙幣入出金部１０３に搬送されて紙幣入出金部１０３から払い出される。また、識別部１０８による紙幣の計数結果（金種別の計数結果）が制御部１１４に送信される。これにより、制御部１１４は、回収処理において払い出された紙幣の枚数（金種別の枚数）を取得することができる。回収処理が完了すると、ステップＳ１３へ進む。なお、第１貨幣処理装置１０に対して着脱可能に構成された回収用カセットが第１貨幣処理装置１０に設けられている場合、制御部１１４は、紙幣収納部１０６に収納されている紙幣（回収すべき紙幣）が繰り出されて識別部１０８において識別されて回収用カセットに搬送されるように第１貨幣処理装置１０の動作を制御してもよい。この場合、紙幣収納部１０６から搬送されてきた紙幣（回収すべき紙幣）を収納している回収用カセットを第１貨幣処理装置１０から取り外すことにより、第１貨幣処理装置１０から紙幣を回収することができる。
【０１０６】
〈ステップＳ１３〉
次に、制御部１１４は、回収情報を第２貨幣処理装置２０に送信する。具体的には、制御部１１４は、識別部１０８による紙幣の計数結果（金種別の計数結果）に基づいて回収情報を生成し、通信部１１３を経由して回収情報を第２貨幣処理装置２０に送信する。
【０１０７】
なお、制御部１１４は、操作者による回収操作によって指定された紙幣の枚数（金種別の枚数）に基づいて、回収処理において払い出される紙幣の枚数（金種別の枚数）を取得するように構成されていてもよい。また、制御部１１４は、回収処理を開始する前に（または回収処理の途中で）回収情報を第２貨幣処理装置２０に送信するように構成されていてもよい。すなわち、第１貨幣処理装置１０は、回収処理の完了後に回収情報を送信するように構成されていてもよいし、回収処理を開始する前に（または回収処理の途中で）回収情報を第２貨幣処理装置２０に送信するように構成されていてもよい。
【０１０８】
〔第２貨幣処理装置の動作〕
第２貨幣処理装置２０は、操作者による回収入金操作に応答して回収入金処理を行うように構成されている。回収入金操作は、第２貨幣処理装置２０に回収入金処理を行わせるための操作であり、回収入金処理は、第１貨幣処理装置１０から回収された紙幣を第２貨幣処理装置２０に入金するための処理である。回収入金処理では、第２貨幣処理装置２０は、回収処理において回収された紙幣を紙幣収納部５５に収納する。
【０１０９】
また、第２貨幣処理装置２０は、回収情報（回収処理における紙幣の回収量を特定するための情報）を取得するように構成されている。この例では、第２貨幣処理装置２０は、第１貨幣処理装置１０から送信された回収情報を受信するように構成されている。
【０１１０】
そして、第２貨幣処理装置２０は、回収入金処理を開始する前に取得された回収情報に基づいて特定される紙幣の回収量と紙幣収納部５５における紙幣の収納量との合計量が予め定められた退避開始閾値を上回る場合に、紙幣収納部５５から紙幣を退避させるための退避処理を回収入金処理を開始する前に行うように構成されている。この例では、第２貨幣処理装置２０は、紙幣収納部５５から紙幣を退避させるための退避処理として先行収集処理と機外回収報知処理とを行うように構成されている。また、退避開始閾値は、例えば、紙幣収納部５５に対して予め定められたフル量またはニアフル量に設定されている。このフル量は、紙幣収納部５５の最大収納量に相当し、紙幣収納部５５がフル状態（満杯の状態）となっているとみなせるときの収納量に相当する。また、このニアフル量は、フル量よりも所定量だけ少ない収納量に相当し、紙幣収納部５５がニアフル状態（ほぼ満杯の状態）となっているとみなせるときの収納量に相当する。
【０１１１】
〈先行収集処理〉
先行収集処理では、紙幣収納部５５に収納された紙幣が束生成部６１に搬送されて束生成部６１において紙幣（紙幣収納部５５から搬送されてきた紙幣）を用いて紙幣束が生成され、その紙幣束が束収納部６３に搬送されて束収納部６３に収納される。なお、第２貨幣処理装置２０は、次の第１条件と第２条件と第３条件のうちいずれか１つの条件が成立すると、先行収集処理を終了するように構成されている。
【０１１２】
《第１条件》
第１条件は、紙幣収納部５５の空き容量が予め定められた空き容量閾値を上回るという条件である。空き容量閾値は、回収情報に基づいて特定される紙幣の回収量に応じた空き容量に設定される。具体的には、回収情報に基づいて特定される紙幣の回収量が増加するに連れて空き容量閾値も増加する。例えば、空き容量閾値は、回収情報に基づいて特定される紙幣の回収量に所定量を加算して得られる量に設定される。
【０１１３】
《第２条件》
第２条件は、紙幣収納部５５における紙幣の収納量が予め定められた退避終了閾値に到達するという条件である。例えば、退避終了閾値は、紙幣収納部５５に対して予め定められたニアエンプティ量に設定されている。このニアエンプティ量は、ゼロよりも所定量だけ多い収納量に相当し、紙幣収納部５５がニアエンプティ状態（ほぼ空の状態）となっているとみなせるときの収納量に相当する。
【０１１４】
《第３条件》
第３条件は、束収納部６３における紙幣束の収納量が予め定められた収納終了閾値に到達するという条件である。例えば、収納終了閾値は、束収納部６３に対して予め定められたフル量またはニアフル量に設定されている。このフル量は、束収納部６３の最大収納量に相当し、束収納部６３がフル状態（満杯の状態）となっているとみなせるときの収納量に相当する。また、このニアフル量は、フル量よりも所定量だけ少ない収納量に相当し、束収納部６３がニアフル状態（ほぼ満杯の状態）となっているとみなせるときの収納量に相当する。
【０１１５】
〈機外回収報知処理〉
また、第２貨幣処理装置２０は、回収入金処理を開始する前において先行収集処理の終了後における紙幣収納部５５の空き容量が空き容量閾値を上回らない場合に、機外回収報知処理を行うように構成されている。機外回収報知処理では、紙幣収納部５５に収納されている紙幣または束収納部６３に収納されている紙幣束を第２貨幣処理装置２０から回収することを促すための情報が出力される。
【０１１６】
〈機外回収処理〉
そして、第２貨幣処理装置２０は、操作者による機外回収操作に応答して機外回収処理を行うように構成されている。機外回収操作は、第２貨幣処理装置２０に機外回収操作を行わせるための操作であり、機外回収処理は、紙幣収納部５５に収納されている紙幣または束収納部６３に収納されている紙幣束を第２貨幣処理装置２０から回収するための処理であり、機外回収処理では、紙幣収納部５５に収納されている紙幣の少なくとも一部または束収納部６３に収納されている紙幣束の少なくとも一部が第２貨幣処理装置２０の外部に払い出される。具体的には、この例では、第２貨幣処理装置２０は、紙幣収納部５５に収納されている紙幣が第２貨幣処理装置２０の外部に払い出される第１機外回収処理と、紙幣収納部５５に収納されている紙幣が紙幣束となって第２貨幣処理装置２０の外部に払い出される第２機外回収処理と、束収納部６３に収納されている紙幣束が第２貨幣処理装置２０の外部に払い出される第３機外回収処理とを選択的に行うように構成されている。
【０１１７】
また、第２貨幣処理装置２０は、機外回収処理における紙幣の払出量（紙幣収納部５５から第２貨幣処理装置２０の外部に払い出された紙幣の量）または紙幣束の払出量（束収納部６３から第２貨幣処理装置２０の外部に払い出された紙幣束の量）が予め定められた機外回収終了閾値に到達すると、機外回収処理を終了するように構成されている。なお、機外回収終了閾値は、固定値であってもよいし、操作者により指定された払出量に設定されていてもよいし、機外終了処理の開始時点における紙幣収納部５５の空き容量と空き容量閾値との差に応じた収納量（例えば空き容量閾値から機外終了処理の開始時点における紙幣収納部５５の空き容量を減算して得られる量）に設定されていてもよい。
【０１１８】
〔第２貨幣処理装置の動作の詳細〕
次に、図６を参照して、第２貨幣処理装置２０の動作（回収情報に基づく処理および回収入金処理に関連する動作）について詳しく説明する。
【０１１９】
〈ステップＳ２１〉
まず、第２貨幣処理装置２０の制御部２０７は、第１貨幣処理装置１０から送信された回収情報を受信したか否かを判定する。第１貨幣処理装置１０から送信された回収情報を受信すると、ステップＳ２２へ進む。
【０１２０】
〈ステップＳ２２〉
次に、制御部２０７は、複数の紙幣収納部５５の各々に対して入金準備処理を行う。なお、入金準備処理については、後で詳しく説明する。そして、複数の紙幣収納部５５の各々に対する入金準備処理が完了すると、ステップＳ２３へ進む。
【０１２１】
〈ステップＳ２３〉
次に、制御部２０７は、操作者による回収入金操作が操作表示部２０３に与えられたか否かを判定する。操作者による回収入金操作が操作表示部２０３に与えられると、ステップＳ２４へ進む。例えば、制御部２０７は、回収入金処理の実行を選択することが可能なメニュー画面（画像）を操作表示部２０３に表示させ、そのメニュー画面において回収入金処理の実行が操作者によって選択されると操作者による回収入金操作が操作表示部２０３に与えられたと判定する。
【０１２２】
〈ステップＳ２４〉
次に、制御部２０７は、回収入金処理が行われるように第２貨幣処理装置２０の動作を制御する。回収入金処理では、投入部５１に投入された紙幣が紙幣搬送部５６に１枚ずつ繰り出されて紙幣識別部５７に搬送され、紙幣識別部５７において識別された後に、紙幣一時保留部５４に一時的に保留される。なお、紙幣識別部５７において識別することができない紙幣は、投出部５２に搬送される。その後、操作者による承認操作（入金を承認するための操作）が操作表示部２０３に与えられると回収入金処理が確定される。そして、紙幣一時保留部５４に一時的に保留されている紙幣は、紙幣一時保留部５４から繰り出されて紙幣識別部５７における識別の結果に応じて複数の紙幣収納部５５にそれぞれ搬送される。
【０１２３】
〔入金準備処理〕
次に、図７を参照して、第２貨幣処理装置２０の動作（回収情報の取得に関連する動作）の一部である入金準備処理について詳しく説明する。例えば、制御部２０７は、複数の紙幣収納部５５の中から処理対象となる紙幣収納部５５を１つずつ順番に選出し、その選出された紙幣収納部５５に対して以下の処理を行う。すなわち、この例では、金種毎に以下の処理が行われる。
【０１２４】
〈ステップＳ３１〉
制御部２０７は、回収情報に基づいて特定される紙幣の回収量と紙幣収納部５５における紙幣の収納量との合計量を算出する。具体的には、この例では、制御部２０７は、回収情報に示された紙幣の回収量（金種別の回収量）の中から処理対象となる紙幣収納部５５に割り当てられた金種と同一の金種についての紙幣の回収量を検出し、その紙幣の回収量と処理対象となる紙幣収納部５５における紙幣の収納量とを加算して合計量を取得する。
【０１２５】
〈ステップＳ３２〉
次に、制御部２０７は、回収情報に基づいて特定される紙幣の回収量と紙幣収納部５５における紙幣の収納量との合計量が退避開始閾値を上回るか否かを判定する。合計量が退避開始閾値を上回る場合には、ステップＳ３３へ進み、そうでない場合には、処理を終了する。
【０１２６】
〈ステップＳ３３〉
次に、制御部２０７は、第２貨幣処理装置２０が待機状態であるか否かを判定する。第２貨幣処理装置２０が待機状態である場合には、ステップＳ３４へ進む。なお、第２貨幣処理装置２０が待機状態ではない場合（例えば第２貨幣処理装置２０が他の操作者によって使用されている場合）は、第２貨幣処理装置２０が待機状態になるまで待つ。
【０１２７】
〈ステップＳ３４〉
次に、制御部２０７は、先行収集処理が行われるように第２貨幣処理装置２０の動作を制御する。先行収集処理では、紙幣収納部５５に収納された紙幣が束生成部６１に搬送されて束生成部６１において紙幣（紙幣収納部５５から搬送されてきた紙幣）を用いて紙幣束が生成され、その紙幣束が束収納部６３に搬送されて束収納部６３に収納される。具体的には、先行収集処理では、処理対象となる紙幣収納部５５に収納されている紙幣が紙幣搬送部５６に１枚ずつ繰り出されて束生成部６１に搬送される。束生成部６１において所定枚数の紙幣が集積されると、その所定枚数の紙幣が帯封されて紙幣束が生成される。束生成部６１において生成された紙幣束は、処理対象となる紙幣収納部５５に対応する束収納部６３（紙幣収納部５５に割り当てられた金種と同一の金種が割り当てられた束収納部６３）に搬送されて収納される。
【０１２８】
そして、制御部２０７は、第１条件（紙幣収納部５５の空き容量が空き容量閾値を上回るという条件）と第２条件（紙幣収納部５５における紙幣の収納量が退避終了閾値に到達するという条件）と第３条件（束収納部６３における紙幣束の収納量が納終了閾値に到達するという条件）のうちいずれか１つの条件が成立すると、先行収集処理が終了するように第２貨幣処理装置２０の動作を制御する。
【０１２９】
〈ステップＳ３５〉
次に、制御部２０７は、先行収集処理の終了後における紙幣収納部５５の空き容量が空き容量閾値を上回るか否かを判定する。紙幣収納部５５の空き容量が空き容量閾値を上回る場合には、処理を終了し、紙幣収納部５５の空き容量が空き容量閾値を上回らない場合には、ステップＳ３６へ進む。
【０１３０】
〈ステップＳ３６〉
次に、制御部２０７は、機外回収報知処理を行う。機外回収報知処理では、制御部２０７は、紙幣収納部５５に収納されている紙幣を第２貨幣処理装置２０から回収することを促すための情報を出力する。例えば、制御部２０７は、紙幣収納部５５に収納されている紙幣を第２貨幣処理装置２０から回収することを促すための画面（機外回収報知画像）を操作表示部２０３に表示させる。なお、制御部２０７は、管理コンピュータ４０やタブレット端末２やスマートフォン３などの他の機器に機外回収報知画像を表示させるように構成されていてもよい。
【０１３１】
〈ステップＳ３７〉
次に、制御部２０７は、操作者による機外回収操作が操作表示部２０３に与えられたか否かを判定する。操作者による機外回収操作が操作表示部２０３に与えられると、ステップＳ３８へ進み、そうでない場合には、機外回収報知処理を継続する。例えば、制御部２０７は、機外回収処理の実行を選択することが可能なメニュー画面（画像）を操作表示部２０３に表示させ、そのメニュー画面において機外回収処理の実行が操作者によって選択されると操作者による機外回収操作が操作表示部１０９に与えられたと判定する。
【０１３２】
〈ステップＳ３８〉
次に、制御部２０７は、機外回収処理が行われるように第２貨幣処理装置２０の動作を制御する。機外回収処理では、紙幣収納部５５に収納されている紙幣または束収納部６３に収納されている紙幣束が第２貨幣処理装置２０の外部に払い出される。なお、機外回収処理により第２貨幣処理装置２０から払い出された紙幣または紙幣束は、操作者により貨幣保管装置３０に装填される。
【０１３３】
具体的には、制御部２０７は、操作者による機外回収操作に応答して、第１機外回収処理（紙幣収納部５５に収納されている紙幣が第２貨幣処理装置２０の外部に払い出される処理）と、第２機外回収処理（紙幣収納部５５に収納されている紙幣が紙幣束となって第２貨幣処理装置２０の外部に払い出される処理）と、第３機外回収処理（束収納部６３に収納されている紙幣束が第２貨幣処理装置２０の外部に払い出される処理）のうちいずれか１つが行われるように第２貨幣処理装置２０の動作を制御する。
【０１３４】
第１機外回収処理では、処理対象となる紙幣収納部５５に収納されている紙幣が１枚ずつ紙幣搬送部５６に繰り出されて投出部５２に搬送され、投出部５２から払い出される。
【０１３５】
第２機外回収処理では、処理対象となる紙幣収納部５５に収納されている紙幣が束生成部６１に搬送されて束生成部６１において紙幣（紙幣収納部５５から搬送されてきた紙幣）を用いて紙幣束が生成され、その紙幣束が束投出部６２に搬送されて束投出部６２から払い出される。
【０１３６】
第３機外回収処理では、処理対象となる紙幣収納部５５に対応する束収納部６３（紙幣収納部５５に割り当てられた金種と同一の金種が割り当てられた束収納部６３）に収納されている紙幣束が１束ずつ束搬送部６４に繰り出されて束投出部６２に搬送され、束投出部６２から払い出される。
【０１３７】
そして、制御部２０７は、機外回収処理における紙幣の払出量（または紙幣束の払出量）が機外回収終了閾値に到達すると、機外回収処理が終了するように第２貨幣処理装置２０の動作を制御する。機外回収処理が終了すると、ステップＳ３５へ進む。
【０１３８】
〔実施形態による効果〕
以上のように、回収入金処理を開始する前に取得された回収情報に基づいて特定される紙幣の回収量と紙幣収納部５５における紙幣の収納量との合計量が退避開始閾値を上回る場合に、紙幣収納部５５から紙幣を退避させるための退避処理（例えば先行収集処理や機外回収報知処理）を回収入金処理を開始する前に行うことにより、回収入金処理の途中で紙幣収納部５５の空き容量が不足する可能性がある場合に、回収入金処理が開始される前に紙幣収納部５５から紙幣を退避させて紙幣収納部５５の空き容量を増加させることができる。これにより、回収入金処理の途中で紙幣収納部５５の空き容量が不足する可能性を低減することができるので、紙幣収納部５５の空き容量不足に起因する回収入金処理の中断を事前に回避することができる。
【０１３９】
また、紙幣収納部５５から紙幣を退避させるための退避処理として先行収集処理を行うことにより、紙幣収納部５５から束収納部６３へ紙幣を退避させて紙幣収納部５５の空き容量を増加させることができる。これにより、紙幣収納部５５の空き容量不足に起因する回収入金処理の中断を事前に回避することができる。
【０１４０】
また、第１条件（紙幣収納部５５の空き容量が空き容量閾値を上回るという条件）と第２条件（紙幣収納部５５における紙幣の収納量が退避終了閾値に到達するという条件）と第３条件（束収納部６３における紙幣束の収納量が納終了閾値に到達するという条件）のうちいずれか１つが成立するまで先行収集処理を継続することができる。これにより、先行収集処理を適切に行うことができる。具体的には、第１条件が成立する場合に先行収集処理を終了することにより、回収処理における紙幣の回収量に応じた紙幣収納部５５の空き容量を確保することができる。また、第２条件が成立する場合に先行収集処理を終了することにより、先行収集処理において紙幣収納部５５における紙幣の収納量が退避終了閾値よりも少なくなることを防止することができる。また、第３条件が成立する場合に先行収集処理を終了することにより、先行収集処理において束収納部６３における紙幣束の収納量が収納終了閾値よりも多くなることを防止することができる。
【０１４１】
また、退避終了閾値を紙幣収納部５５のニアエンプティ量に設定することにより、先行収集処理において紙幣収納部５５における紙幣の収納量がニアエンプティ量よりも少なくなることを防止することができる。すなわち、紙幣収納部５５がニアエンプティ状態（ほぼ空の状態）となることを防止することができる。
【０１４２】
また、収納終了閾値を束収納部６３のフル量またはニアフル量に設定することにより、先行収集処理において束収納部６３における紙幣束の収納量がフル量またはニアフル量よりも多くなることを防止することができる。すなわち、紙幣収納部５５がフル状態（満杯の状態）またはニアフル状態（ほぼ満杯の状態）となることを防止することができる。
【０１４３】
また、先行収集処理において回収処理における紙幣の回収量に応じた紙幣収納部５５の空き容量を確保することができない可能性がある場合に機外回収報知処理を行うことにより、紙幣収納部５５に収納されている紙幣または束収納部６３に収納されている紙幣束を第２貨幣処理装置２０から回収すること（機外回収）を促すことができる。そして、機外回収が行われることにより、紙幣収納部５５から紙幣を退避させて紙幣収納部５５の空き容量を確保することができる。例えば、紙幣収納部５５に収納されている紙幣を回収して紙幣収納部５５の空き容量を確保することができる。または、束収納部６３に収納されている紙幣束を回収して束収納部６３の空き容量を確保し、その空き容量が確保された束収納部６３に紙幣収納部５５に収納されている紙幣を退避させて紙幣収納部５５の空き容量を確保することができる。これにより、紙幣収納部５５の空き容量不足に起因する回収入金処理の中断を事前に回避することができる。
【０１４４】
また、操作者による機外回収操作に応答して機外回収処理（紙幣収納部５５に収納されている紙幣または束収納部６３に収納されている紙幣束を第２貨幣処理装置２０の外部に払い出す処理）を行うことにより、紙幣収納部５５から紙幣を退避させて紙幣収納部５５の空き容量を確保することができる。例えば、紙幣収納部５５に収納されている紙幣を第２貨幣処理装置２０の外部に払い出して紙幣収納部５５の空き容量を確保することができる。または、束収納部６３に収納されている紙幣束を第２貨幣処理装置２０の外部に払い出して束収納部６３の空き容量を確保し、その空き容量が確保された束収納部６３に紙幣収納部５５に収納されている紙幣を退避させて紙幣収納部５５の空き容量を確保することができる。これにより、紙幣収納部５５の空き容量不足に起因する回収入金処理の中断を事前に回避することができる。
【０１４５】
具体的には、第１機外回収処理（紙幣収納部５５に収納されている紙幣が第２貨幣処理装置２０の外部に払い出される処理）または第２機外回収処理（紙幣収納部５５に収納されている紙幣が紙幣束となって第２貨幣処理装置２０の外部に払い出される処理）を行うことにより、紙幣収納部５５の空き容量を確保することができる。また、第３機外回収処理（束収納部６３に収納されている紙幣束が第２貨幣処理装置２０の外部に払い出される）を行うことにより、束収納部６３の空き容量を確保することができる。これにより、第３機外回収処理の後に先行収集処理を確実に行うことができ、その先行収集処理によって紙幣収納部５５の空き容量を確保することができる。
【０１４６】
また、機外回収処理（具体的には第２機外回収処理および第３機外回収処理）において第２貨幣処理装置２０から紙幣束を回収することにより、第２貨幣処理装置からバラ状態の紙幣を回収する場合よりも、回収後の取り扱いを容易にすることができる。
【０１４７】
また、退避開始閾値を紙幣収納部５５のフル量またはニアフル量に設定することにより、回収入金処理の途中で紙幣収納部５５における紙幣の収納量がフル量またはニアフル量に到達して紙幣収納部５５の空き容量が不足する可能性がある場合に、回収入金処理が開始される前に紙幣収納部５５から紙幣を退避させて紙幣収納部５５の空き容量を増加させることができる。これにより、紙幣収納部５５の空き容量不足に起因する回収入金処理の中断を事前に回避することができる。
【０１４８】
（退避処理の変形例１）
なお、以上の説明では、第２貨幣処理装置２０において退避処理として先行収集処理と機外回収報知処理とが行われる場合を例に挙げたが、第２貨幣処理装置２０において退避処理として先行収集処理が行われずに機外回収報知処理が行われてもよい。すなわち、第２貨幣処理装置２０（具体的には制御部２０７）は、回収入金処理を開始する前に取得された回収情報に基づいて特定される紙幣の回収量と紙幣収納部５５における紙幣の収納量との合計量が退避開始閾値を上回る場合に、機外回収報知処理（すなわち紙幣収納部５５に収納されている紙幣または束収納部６３に収納されている紙幣束を第２貨幣処理装置２０から回収することを促すための情報を出力する処理）を行うように構成されていてもよい。具体的には、図７に示した第２貨幣処理装置２０の動作においてステップＳ３４が省略されていてもよい。
【０１４９】
また、この例（第２貨幣処理装置２０において退避処理として先行収集処理が行われずに機外回収報知処理が行われる例）では、第２貨幣処理装置２０は、操作者による機外回収操作に応答して、上述の機外回収処理（紙幣収納部５５に収納されている紙幣の少なくとも一部または束収納部６３に収納されている紙幣束の少なくとも一部を第２貨幣処理装置２０の外部に払い出す処理）を行う。なお、この例では、第２貨幣処理装置２０は、第３機外回収処理（束収納部６３に収納されている紙幣束が第２貨幣処理装置２０の外部に払い出される処理）の後に先行収集処理を行う。すなわち、制御部２０７は、第３機外回収処理が終了した後に先行収集処理が行われるように第２貨幣処理装置２０の動作を制御する。
【０１５０】
以上のように、紙幣収納部５５から紙幣を退避させるための退避処理として機外回収報知処理を行うことにより、紙幣収納部５５に収納されている紙幣または束収納部６３に収納されている紙幣束を第２貨幣処理装置２０から回収すること（機外回収）を促すことができる。そして、機外回収が行われることにより、紙幣収納部５５から紙幣を退避させて紙幣収納部５５の空き容量を確保することができる。例えば、紙幣収納部５５に収納されている紙幣を回収して紙幣収納部５５の空き容量を確保することができる。または、束収納部６３に収納されている紙幣束を回収して束収納部６３の空き容量を確保し、その空き容量が確保された束収納部６３に紙幣収納部５５に収納されている紙幣を退避させて紙幣収納部５５の空き容量を確保することができる。これにより、紙幣収納部５５の空き容量不足に起因する回収入金処理の中断を事前に回避することができる。
【０１５１】
また、操作者による機外回収操作に応答して機外回収処理（紙幣収納部５５に収納されている紙幣または束収納部６３に収納されている紙幣束を第２貨幣処理装置２０の外部に払い出す処理）を行うことにより、紙幣収納部５５から紙幣を退避させて紙幣収納部５５の空き容量を確保することができる。例えば、紙幣収納部５５に収納されている紙幣を第２貨幣処理装置２０の外部に払い出して紙幣収納部５５の空き容量を確保することができる。または、束収納部６３に収納されている紙幣束を第２貨幣処理装置２０の外部に払い出して束収納部６３の空き容量を確保し、その空き容量が確保された束収納部６３に紙幣収納部５５に収納されている紙幣を退避させて紙幣収納部５５の空き容量を確保することができる。これにより、紙幣収納部５５の空き容量不足に起因する回収入金処理の中断を事前に回避することができる。
【０１５２】
（退避処理の変形例２）
なお、第２貨幣処理装置２０は、紙幣束の処理に関する構成（具体的には、束生成部６１と束投出部６２と束収納部６３と束搬送部６４と束識別部６５）を備えていなくてもよい。この場合、第２貨幣処理装置２０において、紙幣収納部５５に収納されている紙幣を第２貨幣処理装置２０から回収することを促すための情報を出力する処理（機外回収報知処理）が退避処理として行われてもよい。すなわち、第２貨幣処理装置２０（具体的には制御部２０７）は、回収入金処理を開始する前に取得された回収情報に基づいて特定される紙幣の回収量と紙幣収納部５５における紙幣の収納量との合計量が退避開始閾値を上回る場合に、機外回収報知処理を行うように構成されていてもよい。具体的には、図７に示した第２貨幣処理装置２０の動作においてステップＳ３４が省略されていてもよい。
【０１５３】
また、この例（第２貨幣処理装置２０が紙幣束の処理に関する構成を備えていない例）では、第２貨幣処理装置２０は、操作者による機外回収操作に応答して機外回収処理を行う。この機外回収処理は、紙幣収納部５５に収納されている紙幣を第２貨幣処理装置２０から回収するための処理であり、この機外回収処理では、紙幣収納部５５に収納されている紙幣の少なくとも一部が第２貨幣処理装置２０の外部に払い出される。そして、第２貨幣処理装置２０は、機外回収処理における紙幣の払い出し量が機外回収終了閾値に到達すると、機外回収処理を終了する。
【０１５４】
以上のように、紙幣収納部５５から紙幣を退避させるための退避処理として機外回収報知処理を行うことにより、紙幣収納部５５に収納されている紙幣を第２貨幣処理装置２０から回収すること（機外回収）を促すことができる。そして、機外回収が行われることにより、紙幣収納部５５から紙幣を回収して紙幣収納部５５の空き容量を確保することができる。これにより、紙幣収納部５５の空き容量不足に起因する回収入金処理の中断を事前に回避することができる。
【０１５５】
また、操作者による機外回収操作に応答して機外回収処理（紙幣収納部５５に収納されている紙幣を第２貨幣処理装置２０の外部に払い出す処理）を行うことにより、紙幣収納部５５から紙幣を第２貨幣処理装置２０の外部に払い出して紙幣収納部５５の空き容量を確保することができる。これにより、紙幣収納部５５の空き容量不足に起因する回収入金処理の中断を事前に回避することができる。
【０１５６】
（回収情報の変形例：操作者情報）
また、回収情報には、回収処理における紙幣の回収量を特定するための情報の他に、回収処理が行われるように第１貨幣処理装置１０を操作した操作者を特定するための情報（操作者情報）が含まれていてもよい。そして、第２貨幣処理装置２０は、操作者による回収入力処理の際に第２貨幣処理装置２０の操作者を特定するための情報（操作者情報）を取得し、その取得された操作者情報と回収情報に含まれる操作者情報とを照合して第２貨幣処理装置２０の操作者が第１貨幣処理装置１０から紙幣を回収した操作者と一致するか否かを判定するように構成されていてもよい。
【０１５７】
例えば、第１貨幣処理装置１０（具体的には制御部１１４）は、操作者による回収操作の際にカード読取部１１０により読み取られた（または操作表示部１０９が操作されて入力された）操作者ＩＤを取得し、回収処理における紙幣の回収量を特定するための情報と操作者ＩＤ（操作者情報の一例）とを含む回収情報を第２貨幣処理装置２０に送信する。そして、第２貨幣処理装置２０（具体的には制御部２０７）は、操作者による回収入金操作の際に操作表示部２０３が操作されて入力された操作者ＩＤを取得し、その操作者ＩＤと回収情報に含まれる操作者ＩＤとを照合して第２貨幣処理装置２０の操作者が第１貨幣処理装置１０から紙幣を回収した操作者（第１貨幣処理装置１０の回収処理により払い出された紙幣を所有する操作者）と一致するか否かを判定する。
【０１５８】
また、第２貨幣処理装置２０は、回収情報に含まれる操作者情報に基づいて退避処理の中断するように構成されていてもよい。例えば、紙幣収納部５５から紙幣を退避させるための退避処理（先行収集処理や機外回収報知処理など）の実行中に取得された操作者ＩＤ（操作表示部２０３が操作されて入力された操作者ＩＤ）が回収情報に含まれる操作者ＩＤと一致しない場合、第２貨幣処理装置２０は、退避処理を中断して当該操作者による操作に応じた処理を優先的に行い、当該処理の修了後に退避処理を再開する。一方、退避処理の実行中に取得された操作者ＩＤが回収情報に含まれる操作者ＩＤと一致する場合、第２貨幣処理装置２０は、操作者による操作に応答せずに退避処理を継続する。
【０１５９】
（貨幣処理システムの変形例１：包装硬貨の補充準備）
また、第１貨幣処理装置１０は、包装硬貨収納部１０５における包装硬貨の収納量が予め定められたニアエンプティ量を下回ると、包装硬貨収納部１０５に収納すべき包装硬貨の本数を示した情報（包装硬貨補充情報）を第２貨幣処理装置２０に送信するように構成されていてもよい。そして、第２貨幣処理装置２０は、包装硬貨補充情報を受信（取得）するように構成され、硬貨処理装置２０２に収納されている包装硬貨の本数が包装硬貨補充情報に示された包装硬貨の本数（包装硬貨収納部１０５に収納すべき包装硬貨の本数）を下回る場合に、補充収集処理を行うように構成されていてもよい。補充収集処理では、硬貨処理装置２０２において硬貨収納部に収納された硬貨が包装硬貨生成部に搬送されて包装硬貨生成部において硬貨（硬貨収納部から搬送されてきた硬貨）を用いて包装硬貨が生成され、その包装硬貨が包装硬貨収納部に搬送されて包装硬貨収納部に収納される。これにより、第１貨幣処理装置１０に補充する包装硬貨を第２貨幣処理装置２０から出金する場合に包装硬貨不足が発生しないようにすることができる。
【０１６０】
（貨幣処理システムの変形例２：第２貨幣処理装置と管理保管装置との連携）
また、第２貨幣処理装置２０（具体的には制御部２０７）は、機外回収処理における紙幣の回収量を示した情報（機外回収情報）を貨幣保管装置３０に送信するように構成されていてもよい。そして、貨幣保管装置３０は、機外回収情報を取得（受信）し、操作者により紙幣が装填されると、機外回収情報に示された紙幣の回収量と操作者による紙幣の装填量とを照合するように構成されていてもよい。
【０１６１】
（第２貨幣処理装置の変形例１：自動収集処理）
また、第２貨幣処理装置２０は、上述の処理の他に、自動収集処理を行うように構成されていてもよい。すなわち、第２貨幣処理装置２０は、紙幣収納部５５における紙幣の収納量が予め定められた自動収集開始閾値を上回る場合に自動収集処理を自動的に行うように構成されていてもよい。自動収集処理では、先行収集処理と同様に、紙幣収納部５５に収納された紙幣が束生成部６１に搬送されて束生成部６１において紙幣（紙幣収納部５５から搬送されてきた紙幣）を用いて紙幣束が生成され、その紙幣束が束収納部６３に搬送されて束収納部６３に収納される。また、第２貨幣処理装置２０は、紙幣収納部５５における紙幣の収納量が予め定められた自動収集終了閾値に到達すると自動収集処理を終了するように構成されていてもよい。
【０１６２】
なお、自動収集開始閾値は、複数の紙幣収納部５５の各々において異なる値であってもよいし同一の値であってもよい。これと同様に、自動収集終了閾値は、複数の紙幣収納部５５の各々において異なる値であってもよいし同一の値であってもよい。また、複数の紙幣収納部５５の各々において、退避開始閾値は、自動収集開始閾値と異なる値に設定されていてもよいし、自動収集開始閾値と同一の値に設定されていてもよい。
【０１６３】
（第２貨幣処理装置の変形例２：複数の回収情報に基づく処理）
また、第２貨幣処理装置２０は、複数の第１貨幣処理装置１０から回収情報を取得した場合に、それらの複数の回収情報にそれぞれ基づいて特定される紙幣の回収量の総量（金種別の総量）を「回収情報に基づいて特定される紙幣の回収量」として入金準備処理（図７）を行うように構成されていてもよい。すなわち、第２貨幣処理装置２０は、複数の回収情報にそれぞれ基づいて特定される紙幣の回収量の総量と紙幣収納部５５における紙幣の収納量との合計量が退避開始閾値を上回る場合に、紙幣収納部５５から紙幣を退避させるための退避処理を回収入金処理を開始する前に行うように構成されていてもよい。
【０１６４】
また、第２貨幣処理装置２０は、複数の回収情報にそれぞれ基づいて特定される紙幣の回収量の総量に基づいて先行収集処理が行われると第２条件（紙幣収納部５５における紙幣の収納量が退避終了閾値（ニアエンプティ量）に到達するという条件）が成立することが見込まれる場合に、複数の回収情報にそれぞれ基づく複数の先行収集処理（回収情報に基づいて特定される紙幣の回収量に基づいて行われる先行収集処理）を１つずつ順番に行うように構成されていてもよいし、先行収集処理を一時停止するように構成されていてもよい。
【０１６５】
（第２貨幣処理装置の変形例３：未入金報知）
また、第２貨幣処理装置２０は、回収情報を取得（受信）すると計時を開始し、回収情報の取得（受信）から予め定められた待機時間が経過するまでの間に操作者による回収入金操作が与えられない場合に、回収入金処理が行われていないことを報知するための情報を出力するように構成されていてもよい。例えば、第２貨幣処理装置２０の制御部２０７は、回収入金処理が行われていないことを報知するための画像を、操作表示部２０３や、管理コンピュータ４０やタブレット端末２やスマートフォン３などの他の機器に表示させるように構成されていてもよい。なお、待機時間は、例えば、第１貨幣処理装置１０から第２貨幣処理装置２０までの移動時間に応じた時間に設定されている。
【０１６６】
（その他の実施形態）
なお、以上の説明において、退避開始閾値は、複数の紙幣収納部５５の各々において異なる値であってもよいし同一の値であってもよい。これと同様に、空き容量閾値は、複数の紙幣収納部５５の各々において異なる値であってもよいし同一の値であってもよい。退避終了閾値は、数の紙幣収納部５５の各々において異なる値であってもよいし同一の値であってもよい。また、収納終了閾値は、複数の束収納部６３の各々において異なる値であってもよいし同一の値であってもよい。
【０１６７】
また、以上の説明では、紙幣（貨幣の一例）および紙幣束（包装貨幣の一例）に関する処理を例に挙げたが、硬貨（貨幣の一例）および包装硬貨（包装貨幣の一例）に関する処理についても同様の処理を行うことが可能である。
【０１６８】
また、以上の説明では、第１貨幣処理装置１０が両替機を構成している場合を例に挙げたが、第１貨幣処理装置１０は、ＡＴＭやオートキャッシャーやロビー入金機などの他の貨幣処理機を構成するものであってもよい。
【０１６９】
また、以上の実施形態および変形例を適宜組み合わせて実施してもよい。以上の実施形態は、本質的に好ましい例示であって、ここに開示する技術、その適用物、あるいはその用途の範囲を制限することを意図するものではない。
【産業上の利用可能性】
【０１７０】
以上説明したように、ここに開示する技術は、貨幣処理システムに有用である。
【符号の説明】
【０１７１】
１          貨幣処理システム
２          タブレット端末
３          スマートフォン
１０        第１貨幣処理装置
２０        第２貨幣処理装置
３０        貨幣保管装置
４０        管理コンピュータ
２０１      紙幣処理装置
２０２      硬貨処理装置
２０３      操作表示部
２０４      印字部
２０５      記憶部
２０６      通信部
２０７      制御部
５１        投入部
５２        投出部
５３        出金リジェクト部
５４        紙幣一時保留部
５５        紙幣収納部
５６        紙幣搬送部
５７        紙幣識別部
５８        表裏反転部
６１        束生成部
６２        束投出部
６３        束収納部
６４        束搬送部
６５        束識別部
【図１】
2018120426.tif 000003
【図２】
2018120426.tif 000004
【図３】
2018120426.tif 000005
【図４】
2018120426.tif 000006
【図５】
2018120426.tif 000007
【図６】
2018120426.tif 000008
【図７】
2018120426.tif 000009